(57)【要約】【課題】使用者が携帯端末により番組データを視聴したとき、使用者が嗜好とする場面を携帯端末により再視聴することができる番組配信システムを提供すること。【解決手段】使用者は、放送局から放送される番組データを携帯端末（１）により視聴したとき、使用者が嗜好とする場面を表す番組データの一部を再度視聴するために、携帯端末（１）により部分番組配信要求をネットワーク（３０）を介してサーバ（４）に送信する。サーバ（４）は、部分番組配信要求に応じて、番組データの一部を表す部分番組データを生成し、部分番組配信回答としてネットワーク（３０）を介して携帯端末（１）に送信する。このように、番組データを録画することなく、使用者が嗜好とする場面である部分番組データを携帯端末（１）により再視聴することができる。【選択図】図１
2007150443.tif 000002
【特許請求の範囲】
【請求項１】
放送局から放送されるテレビ番組を表す番組データを格納する番組格納部を備えたサーバと、
出力装置を備え、前記放送局から放送される前記番組データを受信して前記出力装置に出力する携帯端末とを具備し、
使用者は、前記出力装置に出力された前記番組データを視聴可能であり、
前記携帯端末は、前記番組データを前記出力装置に出力しているときに、使用者が嗜好とする場面を表す前記番組データの一部を再度視聴するための部分番組配信要求を前記サーバに送信し、
前記サーバは、前記部分番組配信要求に応じて、前記番組格納部に格納された前記番組データの一部を表す部分番組データを生成し、部分番組配信回答として前記携帯端末に送信する
番組配信システム。
【請求項２】
請求項１に記載の番組配信システムにおいて、
前記サーバは、更に、部分番組登録部を備え、
前記サーバは、前記部分番組配信要求に応じて、前記部分番組データを生成して前記部分番組登録部に格納し、使用者が前記携帯端末により前記番組データを視聴した後に前記部分番組データを視聴するための前記部分番組配信回答を前記携帯端末に送信し、
前記部分番組配信回答は、前記部分番組登録部に格納された前記部分番組データをネットワーク上に公開するためのＵＲＬ（Ｕｎｉｆｏｒｍ  Ｒｅｓｏｕｒｃｅ  Ｌｏｃａｔｏｒ）を含む
番組配信システム。
【請求項３】
請求項２に記載の番組配信システムにおいて、
前記携帯端末は、前記部分番組配信回答に含まれる前記ＵＲＬを用いて、前記部分番組登録部にアクセスし、前記部分番組登録部に格納された前記部分番組データを取得する
番組配信システム。
【請求項４】
請求項２又は３に記載の番組配信システムにおいて、
前記部分番組配信要求には、前記番組データが放送される放送開始時刻と放送終了時刻との間で使用者により指定された時刻を表す指定放送時刻が含まれ、
前記部分番組データは、前記番組データのうちの、前記指定放送時刻に対して設定時間より前の時刻から、前記指定放送時刻を含む時刻までの設定時間帯の番組データを表している
番組配信システム。
【請求項５】
請求項４に記載の番組配信システムにおいて、
前記出力装置は、表示装置を含み、
前記携帯端末は、前記番組データを前記出力装置に出力しているとき、前記番組データと、使用者が嗜好とする場面を指示するための指示ボタンとを含む画面を前記表示装置に表示し、使用者が前記指示ボタンを操作したときの時刻を前記指定放送時刻とし、前記指定放送時刻を含む前記部分番組配信要求を送信する
番組配信システム。
【請求項６】
請求項５に記載の番組配信システムにおいて、
前記番組データは、ＭＰＥＧ−２  ＴＳ（Ｍｏｖｉｎｇ  Ｐｉｃｔｕｒｅｓ  Ｅｘｐｅｒｔｓ  Ｇｒｏｕｐ−２  Ｔｒａｎｓｐｏｒｔ  Ｓｔｒｅａｍ）にビデオ・オーディオのＥＳ（Ｅｌｅｍｅｎｔａｒｙ  Ｓｔｒｅａｍ）が多重化されて送信され、
前記携帯端末は、使用者が前記指示ボタンを操作した場合、前記ＥＳを前記番組データとして受信したときの前記ＥＳに含まれるオーディオ・ビデオの提示時刻を前記指定放送時刻とし、前記指定放送時刻を含む前記部分番組配信要求を送信する
番組配信システム。
【請求項７】
請求項５に記載の番組配信システムにおいて、
前記番組データは、ＭＰＥＧ−２  ＴＳにビデオ・オーディオのＩＰストリームが多重化されて送信され、
前記携帯端末は、使用者が前記指示ボタンを操作した場合、前記ＩＰストリームを前記番組データとして受信したときの前記ＩＰストリーム上のＲＴＰ（Ｒｅａｌ−ｔｉｍｅ  Ｔｒａｎｓｐｏｒｔ  Ｐｒｏｔｏｃｏｌ）パケットに含まれるタイムスタンプが表す時刻を前記指定放送時刻とし、前記指定放送時刻を含む前記部分番組配信要求を送信する
番組配信システム。
【請求項８】
請求項４〜７のいずれかに記載の番組配信システムにおいて、
前記番組データは、前記放送局を表すチャンネルを含み、
前記部分番組配信要求には、更に、前記チャンネルが含まれる
番組配信システム。
【請求項９】
請求項２〜８のいずれかに記載の番組配信システムにおいて、
前記サーバは、前記部分番組配信回答を電子メール、ＳＭＳ（Ｓｈｏｒｔ  Ｍｅｓｓａｇｅ  Ｓｅｒｖｉｃｅ）、ＭＭＳ（Ｍｕｌｔｉｍｅｄｉａ  Ｍｅｓｓａｇｉｎｇ  Ｓｅｒｖｉｃｅ）のいずれかの通信形態により前記携帯端末に送信する
番組配信システム。
【請求項１０】
請求項２〜９のいずれかに記載の番組配信システムにおいて、
前記サーバは、前記部分番組データを動画のファイル形式、ストリーミング形式のいずれかの形式により前記携帯端末に送信する
番組配信システム。
【請求項１１】
放送局から放送されるテレビ番組を表す番組データを番組格納部に格納するサーバに、ネットワークを介して接続された携帯端末であって、
前記携帯端末は、
前記放送局から放送される前記番組データを受信する受信機と、
出力装置と、
前記受信機に受信された前記番組データを前記出力装置に出力するテレビ制御部と、使用者は、前記出力装置に出力された前記番組データを視聴可能であり、
前記テレビ制御部は、前記番組データを前記出力装置に出力しているときに、使用者が嗜好とする場面を表す前記番組データの一部を再度視聴するために、前記番組格納部に格納された前記番組データの一部を表す部分番組データを生成して部分番組配信回答として前記携帯端末に送信するための部分番組配信要求を、前記ネットワークを介して前記サーバに送信する
携帯端末。
【請求項１２】
請求項１１に記載の携帯端末において、
前記部分番組データは前記サーバの部分番組登録部に格納され、
前記部分番組配信回答は、使用者が前記携帯端末により前記番組データを視聴した後に前記部分番組データを視聴するために、前記部分番組登録部に格納された前記部分番組データを前記ネットワーク上に公開するためのＵＲＬ（Ｕｎｉｆｏｒｍ  Ｒｅｓｏｕｒｃｅ  Ｌｏｃａｔｏｒ）を含み、
前記携帯端末は、更に、
前記部分番組配信回答に含まれる前記ＵＲＬを用いて、前記ネットワークを介して前記部分番組登録部にアクセスし、前記部分番組登録部に格納された前記部分番組データを前記出力装置に出力する動画制御部
を具備する携帯端末。
【請求項１３】
請求項１１又は１２に記載の携帯端末において、
前記部分番組配信要求には、前記番組データが放送される放送開始時刻と放送終了時刻との間で使用者により指定された時刻を表す指定放送時刻が含まれ、
前記部分番組データは、前記番組データのうちの、前記指定放送時刻に対して設定時間より前の時刻から、前記指定放送時刻を含む時刻までの設定時間帯の番組データを表している
携帯端末。
【請求項１４】
請求項１３に記載の携帯端末において、
前記出力装置は、表示装置を含み、
前記テレビ制御部は、前記番組データを前記出力装置に出力しているとき、前記番組データと、使用者が嗜好とする場面を指示するための指示ボタンとを含む画面を前記表示装置に表示し、使用者が前記指示ボタンを操作したときの時刻を前記指定放送時刻とし、前記指定放送時刻を含む前記部分番組配信要求を送信する
携帯端末。
【請求項１５】
請求項１４に記載の携帯端末において、
前記番組データは、ＭＰＥＧ−２  ＴＳ（Ｍｏｖｉｎｇ  Ｐｉｃｔｕｒｅｓ  Ｅｘｐｅｒｔｓ  Ｇｒｏｕｐ−２  Ｔｒａｎｓｐｏｒｔ  Ｓｔｒｅａｍ）にビデオ・オーディオのＥＳ（Ｅｌｅｍｅｎｔａｒｙ  Ｓｔｒｅａｍ）が多重化されて送信され、
前記テレビ制御部は、使用者が前記指示ボタンを操作した場合、前記ＥＳを前記番組データとして前記受信機が受信したときの前記ＥＳに含まれるオーディオ・ビデオの提示時刻を前記指定放送時刻とし、前記指定放送時刻を含む前記部分番組配信要求を送信する
携帯端末。
【請求項１６】
請求項１４に記載の携帯端末において、
前記番組データは、ＭＰＥＧ−２  ＴＳにビデオ・オーディオのＩＰストリームが多重化されて送信され、
前記携帯端末は、使用者が前記指示ボタンを操作した場合、前記ＩＰストリームを前記番組データとして前記受信機が受信したときの前記ＩＰストリーム上のＲＴＰ（Ｒｅａｌ−ｔｉｍｅ  Ｔｒａｎｓｐｏｒｔ  Ｐｒｏｔｏｃｏｌ）パケットに含まれるタイムスタンプが表す時刻を前記指定放送時刻とし、前記指定放送時刻を含む前記部分番組配信要求を送信する
携帯端末。
【請求項１７】
請求項１３〜１６のいずれかに記載の携帯端末において、
前記部分番組配信要求には、更に、前記放送局を表すチャンネルが含まれる
携帯端末。
【請求項１８】
請求項１２〜１７のいずれかに記載の携帯端末において、
前記部分番組配信回答は電子メール、ＳＭＳ（Ｓｈｏｒｔ  Ｍｅｓｓａｇｅ  Ｓｅｒｖｉｃｅ）、ＭＭＳ（Ｍｕｌｔｉｍｅｄｉａ  Ｍｅｓｓａｇｉｎｇ  Ｓｅｒｖｉｃｅ）のいずれかにより送信される
携帯端末。
【請求項１９】
請求項１２〜１８のいずれかに記載の携帯端末において、
前記部分番組データは動画のファイル形式、ストリーミング形式のいずれかの形式により送信される
携帯端末。
【請求項２０】
出力装置を備え、放送局から放送されるテレビ番組を表す番組データを受信して前記出力装置に出力する携帯端末に、ネットワークを介して接続されたサーバであって、
前記サーバは、
前記放送局から放送される前記番組データを受信するサーバ受信機と、
前記サーバ受信機により受信された前記番組データを格納する番組格納部とを具備し、
使用者は、前記出力装置に出力された前記番組データを視聴可能であり、前記携帯端末は、前記番組データを前記出力装置に出力しているときに、使用者が嗜好とする場面を表す前記番組データの一部を再度視聴するための部分番組配信要求を、前記ネットワークを介して前記サーバに送信し、
前記サーバは、更に、
前記部分番組配信要求に応じて、前記番組格納部に格納された前記番組データの一部を表す部分番組データを生成し、部分番組配信回答として前記ネットワークを介して前記携帯端末に送信するサーバ制御部
を具備するサーバ。
【請求項２１】
請求項２０に記載のサーバにおいて、
前記サーバは、更に、
部分番組登録部を具備し、
前記サーバ制御部は、前記部分番組配信要求に応じて、前記部分番組データを生成して前記部分番組登録部に格納し、使用者が前記携帯端末により前記番組データを視聴した後に前記部分番組データを視聴するための前記部分番組配信回答を、前記ネットワークを介して前記携帯端末に送信し、
前記部分番組配信回答は、前記部分番組登録部に格納された前記部分番組データを前記ネットワーク上に公開するためのＵＲＬ（Ｕｎｉｆｏｒｍ  Ｒｅｓｏｕｒｃｅ  Ｌｏｃａｔｏｒ）を含む
サーバ。
【請求項２２】
請求項２０又は２１に記載のサーバにおいて、
前記部分番組配信要求には、前記番組データが放送される放送開始時刻と放送終了時刻との間で使用者により指定された時刻を表す指定放送時刻が含まれ、
前記部分番組データは、前記番組データのうちの、前記指定放送時刻に対して設定時間より前の時刻から、前記指定放送時刻を含む時刻までの設定時間帯の番組データを表している
サーバ。
【請求項２３】
請求項２２に記載のサーバにおいて、
前記番組データは、ＭＰＥＧ−２  ＴＳ（Ｍｏｖｉｎｇ  Ｐｉｃｔｕｒｅｓ  Ｅｘｐｅｒｔｓ  Ｇｒｏｕｐ−２  Ｔｒａｎｓｐｏｒｔ  Ｓｔｒｅａｍ）にビデオ・オーディオのＥＳ（Ｅｌｅｍｅｎｔａｒｙ  Ｓｔｒｅａｍ）が多重化されて送信され、
前記指定放送時刻は、使用者により指定され、前記携帯端末が、前記ＥＳを前記番組データとして受信したときの前記ＥＳに含まれるオーディオ・ビデオの提示時刻を示している
サーバ。
【請求項２４】
請求項２２に記載のサーバにおいて、
前記番組データは、ＭＰＥＧ−２  ＴＳにビデオ・オーディオのＩＰストリームが多重化されて送信され、
前記指定放送時刻は、使用者により指定され、前記携帯端末が、前記ＩＰストリームを前記番組データとして受信したときの前記ＩＰストリーム上のＲＴＰ（Ｒｅａｌ−ｔｉｍｅ  Ｔｒａｎｓｐｏｒｔ  Ｐｒｏｔｏｃｏｌ）パケットに含まれるタイムスタンプが表す時刻を示している
サーバ。
【請求項２５】
請求項２２〜２４のいずれかに記載のサーバにおいて、
前記部分番組配信要求には、更に、前記放送局を表すチャンネルが含まれる
サーバ。
【請求項２６】
請求項２１〜２５のいずれかに記載のサーバにおいて、
前記サーバ制御部は、前記部分番組配信回答を電子メール、ＳＭＳ（Ｓｈｏｒｔ  Ｍｅｓｓａｇｅ  Ｓｅｒｖｉｃｅ）、ＭＭＳ（Ｍｕｌｔｉｍｅｄｉａ  Ｍｅｓｓａｇｉｎｇ  Ｓｅｒｖｉｃｅ）のいずれかにより前記携帯端末に送信する
サーバ。
【請求項２７】
請求項２１〜２６のいずれかに記載のサーバにおいて、
前記サーバ制御部は、前記部分番組データを動画のファイル形式、ストリーミング形式のいずれかの形式により前記携帯端末に送信する
サーバ。
【請求項２８】
出力装置を備えた携帯端末と、サーバとを具備するシステムに適用される番組配信方法であって、
放送局から放送されるテレビ番組を表す番組データを前記サーバが番組格納部に格納するステップと、
出力装置を備え、前記放送局から放送される前記番組データを前記携帯端末が受信して前記出力装置に出力するステップと、使用者は、前記出力装置に出力された前記番組データを視聴可能であり、
前記携帯端末が、前記番組データを前記出力装置に出力しているときに、使用者が嗜好とする場面を表す前記番組データの一部を再度視聴するための部分番組配信要求を前記サーバに送信するステップと、
前記サーバが、前記部分番組配信要求に応じて、前記番組格納部に格納された前記番組データの一部を表す部分番組データを生成し、部分番組配信回答として前記携帯端末に送信するステップと
を具備する番組配信方法。
【発明の詳細な説明】
【技術分野】
【０００１】
本発明は、テレビ番組を表す番組データを配信（送信）する番組配信システムに関する。
【背景技術】
【０００２】
テレビ番組を表す番組データをテレビジョンに配信するシステムが利用されている。テレビジョンは、出力装置と、受信機とを具備し、受信機は、放送局から放送される番組データを受信し、出力装置に出力する。使用者は、出力装置に出力された番組データを視聴することができる。また、使用者は、その番組データを視聴したとき、印象に残った場面や役立つ場面、家族・友人へ伝えたい場面のように、使用者が嗜好とする場面に遭遇する場合がある。この場合、使用者は、テレビジョンに録画装置（例示；ビデオデッキ、ハードディスク）を接続して、その番組データを録画することにより、使用者が嗜好とする場面を見ることができる。
【０００３】
また、番組データを携帯端末に配信するシステムが利用されている。携帯端末の高性能／高機能化に伴い、上記のテレビジョンの機能が付加された携帯端末が普及されている。携帯端末としては携帯電話機が例示される。使用者は、携帯電話機を利用することにより、放送局から放送される番組データを出かけ先でも視聴することができる。また、使用者は、携帯電話機により番組データを視聴した場合でも、上記のように、使用者が嗜好とする場面に遭遇する場合がある。しかしながら、携帯電話機の記憶装置（メモリ）の記憶容量は、録画装置の記憶容量よりもはるかに小さい。このため、使用者が嗜好とする場面を見るために、携帯電話機により番組データを録画することは、消費電力やメモリ使用量に限度がある。
【０００４】
番組配信に関連する技術として、再表０２／０１１４４８号公報に情報提供システムが開示されている（特許文献１参照）。情報提供システムでは、視聴は、テレビジョン受像機でテレビ放送を視聴し、コンテンツをクリップするときには、そのテレビジョン受像機のリモコンの「マーク」ボタンを操作する。このとき、番組識別子およびユーザ識別子を含むクリッピング要求が回線網を介してクリッピングセンタのクリッピングサーバに送られる。クリッピングサーバのユーザ情報データベースにユーザ識別子と番組識別子が登録される。登録したコンテンツを閲覧するには、携帯端末の「情報」ボタンを操作して、情報閲覧要求をクリッピングサーバに送る。クリッピングサーバは、該当するユーザ識別子で登録されている番組コンテンツを参照してメニューを生成して携帯端末に返す。ユーザは携帯端末でメニューを用いてコンテンツを選択して送信要求をクリッピングサーバに送り、この要求により送られてくるコンテンツを閲覧する。これにより、情報提供システムによれば、ユーザは、放送で視聴したコンテンツを携帯端末によりどこでも閲覧できる。
この情報提供システムでは、使用者（ユーザ）が携帯端末によりいつでも同じ番組データ（コンテンツ）を視聴できるように、実施例１では、クリッピング要求には、ユーザ識別子と、同じ番組データを要求するための番組識別子とが含まれる。実施例２では、クリッピング要求には、ユーザ識別子と、マークしたときの放送時刻及びチャンネルとが含まれる。放送時刻及びチャンネルは、番組識別子の代わりに用いられ、同じ番組データを要求するための情報である。
【０００５】
特開２００３−２３４７０９号公報に双方向情報伝達システムが開示されている（特許文献２参照）。双方向情報伝達システムは、記録再生装置と、携帯端末装置と、情報サーバとを含んでいる。前記記録再生装置は、放送局から送られてきた番組コンテンツと、その番組コンテンツに付随して送られてきたアクセス情報とを記録し再生する機能を備えている。前記携帯端末装置は、インターネットに接続可能である。前記情報サーバは、前記放送局から放送された番組コンテンツに対応した番組関連情報を保有し、前記放送局と連携して機能する。前記記録再生装置は、前記番組コンテンツと共に記録されたアクセス情報を再生する手段と、その再生されたアクセス情報を前記携帯端末装置に送信する手段とを有している。前記携帯端末装置は、前記番組端末装置から受け取ったアクセス情報に基づいて、前記インターネットを介して前記情報サーバと接続し、この情報サーバから、前記記録再生装置により再生された番組コンテンツに関する番組関連情報を取得する手段と、取得された前記番組関連情報の内容に従って前記情報サーバを介して所定の応答処理を行う手段とを有している。前記携帯端末装置と前記放送局との間で、前記情報サーバを介して、前記番組端末装置により再生された番組コンテンツと連携した双方向の情報伝達を行うことを特徴としている。
この双方向情報伝達システムでは、番組関連情報は、番組データ（番組コンテンツ）に関するアンケートである。使用者（ユーザ）は、番組端末装置により番組データを視聴しながら、携帯端末装置により情報サーバと接続してアンケートに答える。これにより、双方向情報伝達システムによれば、上記のような双方向の情報伝達を行うことができる。
【０００６】
特開２００５−１０９５８８号公報に携帯端末装置が開示されている（特許文献３参照）。携帯端末装置は、デジタル・テレビ放送信号を受信するテレビ信号処理回路と、データ通信を行うデータ通信処理回路と、前記テレビ信号処理回路と前記データ通信処理回路へ電力を供給する電源部と、前記テレビ信号処理回路への前記電源部からの電力の供給を制御するスイッチと、電子メール受信部とを有することを特徴としている。前記電子メール受信部は、前記データ通信処理回路を利用して、前記テレビ信号処理回路において前記デジタル・テレビ信号を受信するために用いられる選局情報を、電子メールによって受信する。
【０００７】
特開２００５−１１７５１６号公報にコンテンツ配信システムが開示されている（特許文献４参照）。コンテンツ配信システムは、ネットワーク基地局、放送基地局及び移動通信端末からなっている。前記ネットワーク基地局は、移動通信端末と通信する通信部を備え、ネットワークに接続されている。前記放送基地局は、コンテンツを配信するコンテンツ配信部を備えている。前記移動通信端末は、前記ネットワーク基地局と通信を行うネットワーク通信部と、前記放送基地局から放送により配信されるコンテンツを受信する放送受信部と、前記コンテンツが前記移動通信端末で利用可能である場合に前記ネットワーク通信部の動作を停止するよう制御する制御部とを備えていることを特徴としている。
【０００８】
【特許文献１】再表０２／０１１４４８号公報
【特許文献２】特開２００３−２３４７０９号公報
【特許文献３】特開２００５−１０９５８８号公報
【特許文献４】特開２００５−１１７５１６号公報
【発明の開示】
【発明が解決しようとする課題】
【０００９】
本発明の課題は、使用者が携帯端末により番組データを視聴したとき、使用者が嗜好とする場面を携帯端末により再視聴することができる番組配信システムを提供することにある。
【課題を解決するための手段】
【００１０】
以下に、［発明を実施するための最良の形態］で使用する番号・符号を用いて、課題を解決するための手段を説明する。これらの番号・符号は、［特許請求の範囲］の記載と［発明を実施するための最良の形態］の記載との対応関係を明らかにするために付加されたものであるが、［特許請求の範囲］に記載されている発明の技術的範囲の解釈に用いてはならない。
【００１１】
本発明の番組配信システムは、ネットワーク（３０）に接続されたサーバ（４）と、前記ネットワーク（３０）に接続された携帯端末（１）とを具備している。
前記サーバ（４）は、サーバ受信機（４９）と、番組格納部（４３ａ）とを具備している。
前記サーバ受信機（４９）は、放送局から放送されるテレビ番組を表す番組データ（７１）を受信する。このとき、前記サーバ受信機（４９）により受信された前記番組データ（７１）は、前記番組格納部（４３ａ）に格納される。
前記携帯端末（１）は、受信機（２９）と、出力装置（２８）と、テレビ制御部（２２ａ）とを具備している。
前記受信機（２９）は、前記放送局から放送される前記番組データ（７１）を受信する。
前記テレビ制御部（２２ａ）は、前記受信機（２９）に受信された前記番組データ（７１）を前記出力装置（２８）に出力する。
使用者は、前記出力装置（２８）に出力された前記番組データ（７１）を視聴可能である。前記テレビ制御部（２２ａ）は、前記番組データ（７１）を前記出力装置（２８）に出力しているときに、使用者が嗜好とする場面を表す前記番組データ（７１）の一部を再度視聴するための部分番組配信要求を、前記ネットワーク（３０）を介して前記サーバ（４）に送信する。
前記サーバ（４）は、更に、サーバ制御部（４２ａ）を具備している。
前記サーバ制御部（４２ａ）は、前記部分番組配信要求に応じて、前記番組格納部（４３ａ）に格納された前記番組データ（７１）の一部を表す部分番組データ（７２）を生成し、部分番組配信回答として前記ネットワーク（３０）を介して前記携帯端末（１）に送信する。
【００１２】
使用者は、携帯端末（１）を利用することにより、放送局から放送される番組データ（７１）を出かけ先でも視聴することができる。また、使用者は、携帯端末（１）により番組データ（７１）を視聴した場合でも、上記のように、使用者が嗜好とする場面に遭遇する場合がある。しかしながら、携帯端末（１）の記憶装置（２３）のデータ記憶領域（２３ａ）の記憶容量は、録画装置（例示；ビデオデッキ、ハードディスク）の記憶容量よりもはるかに小さい。このため、使用者が嗜好とする場面を見るために、携帯端末（１）により番組データ（７１）を録画することは、消費電力やメモリ使用量に限度がある。
そこで、本発明の番組配信システムでは、使用者は、携帯端末（１）を用いて、使用者が嗜好とする場面を再度視聴するために、部分番組配信要求を送信し、サーバ（４）は、部分番組配信要求に応じて、使用者が嗜好とする場面である部分番組データ（７２）を生成し、部分番組配信回答として携帯端末（１）に送信する。このように、本発明の番組配信システムによれば、使用者が携帯端末（１）により番組データ（７１）を視聴したとき、番組データ（７１）を録画することなく、使用者が嗜好とする場面である部分番組データ（７２）を携帯端末（１）により再視聴することができる。これにより、使用者は、嗜好とする場面として印象に残った場面や役立つ場面を再視聴することができ、その場面の内容を家族・友人へ伝えることができる。
【００１３】
本発明の番組配信システムにおいて、前記サーバ（４）は、更に、部分番組登録部（４３ｂ）を具備している。
前記サーバ制御部（４２ａ）は、前記部分番組配信要求に応じて、前記部分番組データ（７２）を生成して前記部分番組登録部（４３ｂ）に格納し、使用者が前記携帯端末（１）により前記番組データ（７１）を視聴した後に前記部分番組データ（７２）を視聴するための前記部分番組配信回答を、前記ネットワーク（３０）を介して前記携帯端末（１）に送信する。
前記部分番組配信回答は、前記部分番組登録部（４３ｂ）に格納された前記部分番組データ（７２）を前記ネットワーク（３０）上に公開するためのＵＲＬ（Ｕｎｉｆｏｒｍ  Ｒｅｓｏｕｒｃｅ  Ｌｏｃａｔｏｒ）を含んでいる。
【００１４】
上述のように、本発明の番組配信システムで、使用者が携帯端末（１）により番組データ（７１）を視聴したとき、使用者が嗜好とする場面である部分番組データ（７２）を携帯端末（１）により再視聴することができる。しかしながら、使用者は、携帯端末（１）により番組データ（７１）を視聴しているときに、部分番組データ（７２）が携帯端末（１）に送られてきても困る場合がある。即ち、携帯端末（１）の出力装置（２８）に出力される番組データが、視聴中の番組データ（７１）から、部分番組データ（７２）に代わってしまっては、使用者にとって都合が悪い場合がある。
そこで、本発明の番組配信システムでは、サーバ（４）は、部分番組配信要求に応じて、部分番組データ（７２）を生成して部分番組登録部（４３ｂ）に格納し、部分番組登録部（４３ｂ）に格納された部分番組データ（７２）をネットワーク（３０）上に公開するためのＵＲＬを含む部分番組配信回答を携帯端末（１）に送信する。使用者が部分番組データ（７２）を携帯端末（１）により再視聴する場合、使用者は携帯端末（１）により番組データ（７１）を視聴した後に、上記のＵＲＬを用いることにより実現する。このように、本発明の番組配信システムによれば、使用者が携帯端末（１）により番組データ（７１）を視聴したとき、番組データ（７１）の視聴を妨げることなく、使用者が嗜好とする場面である部分番組データ（７２）を携帯端末（１）により再視聴することができる。
また、本発明の番組配信システムでは、サーバ（４）では、部分番組データ（７２）を生成して部分番組登録部（４３ｂ）に格納することにより、サーバ（４）の管理者は、視聴率調査として、使用者が嗜好とする場面を収集することができる。
【００１５】
本発明の番組配信システムにおいて、前記携帯端末（１）は、更に、動画制御部（２２ｂ）を具備している。
前記動画制御部（２２ｂ）は、前記部分番組配信回答に含まれる前記ＵＲＬを用いて、前記ネットワーク（３０）を介して前記部分番組登録部（４３ｂ）にアクセスし、前記部分番組登録部（４３ｂ）に格納された前記部分番組データ（７２）を前記出力装置（２８）に出力する。
【００１６】
本発明の番組配信システムにおいて、前記部分番組配信要求には、指定放送時刻が含まれる。前記指定放送時刻は、前記番組データ（７１）が放送される放送開始時刻と放送終了時刻との間で使用者により指定された時刻を表している。
前記部分番組データ（７２）は、前記番組データ（７１）のうちの、前記指定放送時刻に対して設定時間より前の時刻から、前記指定放送時刻を含む時刻までの設定時間帯の番組データを表している。
【００１７】
使用者が嗜好とする場面とは、使用者が携帯端末（１）により番組データ（７１）を視聴しているときに遭遇する。したがって、使用者が嗜好とする場面が放送された後に、使用者が携帯端末（１）により部分番組配信要求を行なうことになる。このため、部分番組配信要求に含まれる指定放送時刻は、使用者が嗜好とする場面が放送された時刻よりも後の時刻を表している。
そこで、本発明の番組配信システムでは、サーバ（４）は、番組データ（７１）のうちの、指定放送時刻に対して設定時間（例えば５分）より前の時刻から、指定放送時刻までの設定時間帯の番組データを表す部分番組データ（７２）を生成する。これにより、本発明の番組配信システムによれば、使用者が嗜好とする場面を部分番組データ（７２）により再視聴することができる。
また、本発明の番組配信システムでは、サーバ（４）では、部分番組データ（７２）を生成して部分番組登録部（４３ｂ）に格納することにより、サーバ（４）の管理者は、視聴率調査として、使用者が嗜好とする場面が放送される時間帯（設定時間帯）を集計することができる。
【００１８】
本発明の番組配信システムにおいて、前記出力装置（２８）は、表示装置（２７）を含んでいる。
前記テレビ制御部（２２ａ）は、前記番組データ（７１）を前記出力装置（２８）に出力しているとき、前記番組データ（７１）と、使用者が嗜好とする場面を指示するための指示ボタン（５４）とを含む画面（５１）を前記表示装置（２７）に表示し、使用者が前記指示ボタン（５４）を操作したときの時刻を前記指定放送時刻とし、前記指定放送時刻を含む前記部分番組配信要求を送信する。
【００１９】
本発明の番組配信システムにおいて、前記番組データ（７１）は、ＭＰＥＧ−２  ＴＳ（Ｍｏｖｉｎｇ  Ｐｉｃｔｕｒｅｓ  Ｅｘｐｅｒｔｓ  Ｇｒｏｕｐ−２  Ｔｒａｎｓｐｏｒｔ  Ｓｔｒｅａｍ）にビデオ・オーディオのＥＳ（Ｅｌｅｍｅｎｔａｒｙ  Ｓｔｒｅａｍ）が多重化されて送信される。
前記テレビ制御部（２２ａ）は、使用者が前記指示ボタン（５４）を操作した場合、前記ＥＳを前記番組データ（７１）として前記受信機（２９）が受信したときの前記ＥＳに含まれるオーディオ・ビデオの提示時刻を前記指定放送時刻とし、前記指定放送時刻を含む前記部分番組配信要求を送信する。
【００２０】
本発明の番組配信システムにおいて、前記番組データ（７１）は、ＭＰＥＧ−２  ＴＳにビデオ・オーディオのＩＰストリームが多重化されて送信される。
前記テレビ制御部（２２ａ）は、使用者が前記指示ボタン（５４）を操作した場合、前記ＩＰストリームを前記番組データ（７１）として前記受信機（２９）が受信したときの前記ＩＰストリーム上のＲＴＰ（Ｒｅａｌ−ｔｉｍｅ  Ｔｒａｎｓｐｏｒｔ  Ｐｒｏｔｏｃｏｌ）パケットに含まれるタイムスタンプが表す時刻を前記指定放送時刻とし、前記指定放送時刻を含む前記部分番組配信要求を送信する。
【００２１】
本発明の番組配信システムにおいて、前記部分番組配信要求には、更に、前記放送局を表すチャンネルが含まれる。
【００２２】
本発明の番組配信システムにおいて、前記サーバ制御部（４２ａ）は、前記部分番組配信回答を電子メール（６１）、ＳＭＳ（Ｓｈｏｒｔ  Ｍｅｓｓａｇｅ  Ｓｅｒｖｉｃｅ）、ＭＭＳ（Ｍｕｌｔｉｍｅｄｉａ  Ｍｅｓｓａｇｉｎｇ  Ｓｅｒｖｉｃｅ）のいずれかにより前記携帯端末（１）に送信する。
【００２３】
本発明の番組配信システムにおいて、前記サーバ制御部（４２ａ）は、前記部分番組データ（７２）を動画のファイル形式、ストリーミング形式のいずれかの形式により前記携帯端末（１）に送信する。
【発明の効果】
【００２４】
以上の説明により、本発明の番組配信システムは、使用者が携帯端末により番組データを視聴したとき、使用者が嗜好とする場面を携帯端末により再視聴することができる。
【発明を実施するための最良の形態】
【００２５】
以下に添付図面を参照して、本発明の番組配信システムについて詳細に説明する。
【００２６】
図１は、本発明の番組配信システムの構成を示すブロック図である。本発明の番組配信システムは、携帯端末１と、サーバ４とを具備している。携帯端末１としては、使用者に携帯される携帯電話機、車載用テレビ、ＰＤＡ（Ｐｅｒｓｏｎａｌ  Ｄｉｇｉｔａｌ  Ａｓｓｉｓｔａｎｔ）や、車載に携帯（搭載）される携帯用テレビが例示される。以下、携帯端末１が携帯電話機である場合について説明する。
【００２７】
携帯電話機１とサーバは、ネットワーク３０に接続されている。ネットワーク３０は、携帯電話網、基地局３１、ゲートウェイ３２、インターネット網３３を含んでいる。パケット交換を行うために、携帯電話機１は携帯電話網を介して基地局３１と接続され、使用者が携帯電話機１によりインターネットを利用可能にするために、基地局３１はゲートウェイ３２を介してインターネット網３３に接続されている。インターネット網３３には、サーバ４が接続されている。
携帯電話機１とサーバ４は、放送網３４を介して放送局に接続されている。テレビ番組を表す番組データが放送局から放送網３４を介して放送（送信）される。
【００２８】
携帯電話機１、サーバ４は、後述のテレビジョンの機能が付加され、放送局から放送される番組データを受信することができる。テレビ番組が放送される放送形態としては、地上波アナログ放送・地上波デジタル放送・衛星放送等が挙げられる。使用者は、携帯電話機１により番組データを視聴しているとき、印象に残った場面や役立つ場面、家族・友人へ伝えたい場面のように、使用者が嗜好とする場面に遭遇する場合がある。この場合、使用者は、携帯電話機１を用いて、使用者が嗜好とする場面として番組データの一部を再度視聴するために、後述の部分番組配信要求を、ネットワーク３０を介してサーバ４に送信する。サーバ４は、この部分番組配信要求に応じて番組データの一部をコンテンツとしてネットワーク３０を介して携帯電話機１に提供する。
【００２９】
図２は、携帯電話機１の構成を示すブロック図である。図３は、携帯電話機１を表す正面図である。
携帯電話機１は、記憶装置２３、制御装置２４、通信装置２５、受信機２９、出力装置２８、入力装置を具備している。
入力装置は、筐体２０に外付けされた入力部２１、マイク２６ａを含んでいる。入力部２１は、複数のキーを含み、複数のキーの各々が押下／開放された状態を、使用者の操作を表す状態として制御装置２４へ通知する。
【００３０】
通信装置２５は、筐体２０に内蔵された無線処理部２５、筐体２０に取り付けられたアンテナを含んでいる。無線処理部２５は、アンテナを介して携帯電話網との通信を行う。
受信機２９は、筐体２０に内蔵された受信処理部２９ａ、チューナ部２９ｂを含んでいる。チューナ部２９ｂは、地上波アナログ放送・地上波デジタル放送・衛星放送等の放送形態に適用し、筐体２０に内蔵または外付けされたチューナモジュールを含んでいる。受信処理部２９ａは、放送局から放送網３４を介して放送される番組データを受信する。
【００３１】
制御装置２４は、筐体２０に内蔵され、携帯電話機１の制御を行うＣＰＵ（Ｃｅｎｔｒａｌ  Ｐｒｏｃｅｓｓｉｎｇ  Ｕｎｉｔ）を含んでいる。
記憶装置２３は、筐体２０に内蔵されたメモリである。この記憶装置２３は、上記のＣＰＵが実行するコンピュータプログラム２２を備えている。コンピュータプログラム２２は、テレビ制御部２２ａ、動画制御部２２ｂ、メール制御部２２ｃ、テレビ電話制御部２２ｄを含んでいる。
テレビ制御部２２ａは、テレビジョンの機能であるテレビ視聴機能を実現するアプリケーションである。このテレビ制御部２２ａは、テレビ視聴の他にデータ放送ブラウザ・通信ブラウザの機能も実現する。
動画制御部２２ｂは、動画記録・再生・ストリーミング再生関連の機能を実現するアプリケーションである。
メール制御部２２ｃは、電子メールの送付・閲覧などメール関連の機能を実現するアプリケーションである。
テレビ電話制御部２２ｄは、テレビ電話・電話の機能を実現するアプリケーションである。
記憶装置２３は、更に、データ記憶領域としてデータ蓄積部２３ａを備えている。データ蓄積部２３ａには、上記のアプリケーションの設定情報が格納されている。また、データ蓄積部２３ａには、使用者に関連する情報（例示；電子メールの文章、他の使用者の電話番号・電子メールアドレス、…）が格納／更新される。
【００３２】
出力装置２８は、筐体２０に外付けされたスピーカ２６ｂ、表示装置２７と、筐体２０に内蔵された音声処理部２６、表示制御部２７ａ、動画処理部２７ｂとを含んでいる。
表示装置２７は、ＬＣＤ画面（Ｌｉｑｕｉｄ  Ｃｒｙｓｔａｌ  Ｄｉｓｐｌａｙ）、ＥＬ画面（ｅｌｅｃｔｒｏｌｕｍｉｎｅｓｃｅｎｃｅ  ｄｉｓｐｌａｙ）などで構成され、ＵＩ（Ｕｓｅｒ  Ｉｎｔｅｒｆａｃｅ）画面表示や動画像の表示等を行う。表示制御部２７ａは、上記のアプリケーションの実行結果を表す表示データ（アイコン／ＰＯＰ  ＵＰメッセージ／動画など）を表示装置２７に表示する。
【００３３】
例えば使用者が携帯電話機１により電話する場合、テレビ電話制御部２２ｄは、表示制御部２７ａと通信装置２５と音声処理部２６とを制御する。この制御により、表示制御部２７ａは、テレビ電話制御部２２ｄにおけるアプリケーションの実行結果を表す表示データ（例示；相手の電話機の電話番号の表示、通話中である旨など）を表示装置２７に表示する。音声処理部２６は、マイク２６ａにより入力された音声にオーディオＣＯＤＥＣ（ＣＯｄｅｒ  ＤＥＣｏｄｅｒ）の処理を施して音声データを生成し、通信装置２５、携帯電話網、基地局３１を介して相手の電話機に送信する。相手の電話機からの音声データは、基地局３１、携帯電話網を介して通信装置２５により受信され、音声処理部２６は、その音声データにオーディオＣＯＤＥＣの処理を施して音声を生成し、スピーカ２６ｂに出力する。
【００３４】
例えば使用者が携帯電話機１をテレビジョンとして利用する場合、テレビ制御部２２ａは、使用者の入力部２１の操作に応じて、使用者の所望の番組を表す番組データが放送局から放送網３４を介して受信されるように受信機２９を制御し、受信機２９により受信された番組データを出力装置２８に出力する。使用者は、出力装置２８に出力された番組データを視聴可能である。この場合、番組データは、動画像データと音声データとを含み、テレビ制御部２２ａは、表示制御部２７ａと動画処理部２７ｂと音声処理部２６とを制御する。音声処理部２６は、番組データに含まれる音声データにオーディオＣＯＤＥＣの処理を施して音声を生成し、スピーカ２６ｂに出力する。動画処理部２７ｂは、番組データに含まれる動画像データにビデオＣＯＤＥＣの処理を施して表示データを生成し、表示制御部２７ａは、その表示データを表示装置２７に表示する。
使用者が番組データを視聴中に嗜好とする場面に遭遇する場合、テレビ制御部２２ａは、通信装置２５を制御する。この場合、テレビ制御部２２ａは、使用者の入力部２１の操作に応じて、使用者が嗜好とする場面である番組データの一部を再度視聴するために、後述の部分番組配信要求を、通信装置２５、ネットワーク３０を介してサーバ４に送信する。
【００３５】
図４は、サーバ４の構成を示すブロック図である。
サーバ４は、コンピュータであり、サーバ記憶装置４３、サーバ制御装置４４、サーバ通信装置４５、サーバ受信機４９を具備している。
サーバ制御装置４４は、サーバ４の制御を行うＣＰＵを含んでいる。サーバ記憶装置４３は、上記のＣＰＵが実行するコンピュータプログラム４２を備えている。コンピュータプログラム４２は、サーバ制御部４２ａを含んでいる。
【００３６】
サーバ記憶装置４３は、更に、番組格納部４３ａを備えている。図５に示されるように、番組格納部４３ａには、時間帯と複数のチャンネルと複数の番組データとがサーバ受信機４９によって格納される。複数のチャンネルがそれぞれ複数の放送局を表していて、複数のチャンネルを第１〜第ｍチャンネル（ｍは１以上の整数）と表すものとする。この場合、サーバ受信機４９は、それぞれ第１〜第ｍチャンネルに対応する第１〜第ｍ受信機を備え、第１〜第ｍ受信機は、ある時間帯に第１〜第ｍ放送局から放送網３４を介して放送される番組データを受信し、その時間帯と、第１〜第ｍチャンネルと、第１〜第ｍ放送局からの番組データとを対応付けて番組格納部４３ａに格納する。例えば、第１受信機は、１９：００〜２０：００の時間帯に第１放送局から放送網３４を介して放送される番組データ７１を受信し、その時間帯と、第１チャンネルと、第１放送局からの番組データ７１とを対応付けて番組格納部４３ａに格納する。
【００３７】
サーバ記憶装置４３は、更に、番組格納部４３ａを備えている。図６に示されるように、部分番組登録部４３ｂには、後述の部分番組データがコンテンツとしてサーバ制御部４２ａによって格納される。また、部分番組登録部４３ｂには、コンテンツの登録場所として後述のＵＲＬ（Ｕｎｉｆｏｒｍ  Ｒｅｓｏｕｒｃｅ  Ｌｏｃａｔｏｒ）がサーバ制御部４２ａによって格納される。
【００３８】
番組データ、部分番組配信要求、部分番組データについて詳細に説明する。
上記の第１〜第ｍ放送局から放送される番組データは、後述のデジタルデータ（デジタル放送）により送信されているものとする。この番組データは、１番目から最終番目までの複数の静止画像データを含んでいる。
【００３９】
テレビ制御部２２ａは、受信機２９により受信された番組データを出力装置２８に出力しているとき、図７に示されるような画面５１を出力装置２８の表示装置２７に表示する。画面５１は、番組データと、ユーザが部分番組配信要求を行なうときのＵＩ（Ｕｓｅｒ  Ｉｎｔｅｒｆａｃｅ）とを含んでいる。番組データは、動画像データと音声データとを表す番組データ本体と、チャンネルを表す情報と、データ放送用の番組情報とを含んでいる。番組情報としては、番組タイトル、出演者、放送日時、…が例示される。放送日時には、番組データが放送される放送開始時刻と放送終了時刻とが含まれる。画面５１は、上記の動画像データを表すテレビ番組画面５２と、データ放送用の番組情報を表す番組情報画面５３と、使用者が入力部２１により指示するための複数の指示ボタンを含んでいる。番組情報画面５３には、番組情報を表すメニューとして番組タイトル、出演者、放送日時などが表示される。複数の指示ボタンのうちの１つの指示ボタンは、部分番組配信要求を行なうための「今の場面をもう一度」ボタン５４を表している。「今の場面をもう一度」ボタン５４は、例えば上記のメニューの一つとして番組情報画面５３に表示される。使用者は、番組データを視聴中に嗜好とする場面に遭遇する場合、入力部２１を操作して「今の場面をもう一度」ボタン５４を押下する。このボタンの押下に応じて、テレビ制御部２２ａは、番組再配信要求を送信するために必要な情報を収集する。
【００４０】
図８に示されるように、例えば使用者の所望の番組を表す番組データが上記の番組データ７１であるものとする。「今の場面をもう一度」ボタン５４が押下されたとき、テレビ制御部２２ａは、番組データ７１に含まれるチャンネル、番組情報をそれぞれ指定チャンネル、指定番組情報として収集する。また、テレビ制御部２２ａは、指定放送時刻を受信機２９により収集する。
【００４１】
指定放送時刻の収集について説明する。
【００４２】
上記のデジタルデータとして、番組データ７１は、ＭＰＥＧ−２  ＴＳ（Ｍｏｖｉｎｇ  Ｐｉｃｔｕｒｅｓ  Ｅｘｐｅｒｔｓ  Ｇｒｏｕｐ−２  Ｔｒａｎｓｐｏｒｔ  Ｓｔｒｅａｍ）にビデオ・オーディオのＥＳ（Ｅｌｅｍｅｎｔａｒｙ  Ｓｔｒｅａｍ）が多重化されて送信される。この場合、番組データ７１に含まれる放送日時に関する情報として、ＥＳに含まれるオーディオ・ビデオの提示時刻（または復号開始時刻）が用いられる。例えば、テレビ制御部２２ａは、「今の場面をもう一度」ボタン５４が押下されたときに、ＥＳを番組データ７１として受信機２９が受信したときのＥＳに含まれるオーディオ・ビデオの提示時刻を指定放送時刻としている。
【００４３】
上記のデジタルデータとして、ＭＰＥＧ−２  ＴＳにビデオ・オーディオのＩＰストリームが多重化されて送信される。この場合、番組データ７１に含まれる放送日時に関する情報として、ＩＰストリーム上のＲＴＰ（Ｒｅａｌ−ｔｉｍｅ  Ｔｒａｎｓｐｏｒｔ  Ｐｒｏｔｏｃｏｌ）パケットに含まれるタイムスタンプが表す時刻が用いられる。例えば、テレビ制御部２２ａは、「今の場面をもう一度」ボタン５４が押下されたときに、ＩＰストリームを番組データ７１として受信機２９が受信したときのＩＰストリーム上のＲＴＰパケットに含まれるタイムスタンプが表す時刻を指定放送時刻としている。
【００４４】
上記の番組データ７１は、１９：００〜２０：００の時間帯に第１放送局から放送網３４を介して放送される番組データであるため、チャンネルは第１放送局を表し、番組データ７１の放送開始時刻、放送終了時刻はそれぞれ“１９：００”、“２０：００”を表している。指定放送時刻は、放送開始時刻“１９：００”と放送終了時刻“２０：００”との間で使用者の「今の場面をもう一度」ボタン５４の押下のときに指定された時刻として、番組データ７１を受信したときの上記時刻が示す“１９：３０”を表している。テレビ制御部２２ａは、指定放送時刻“１９：３０”と指定チャンネルと指定番組情報とを含む番組再配信要求を、通信装置２５、ネットワーク３０を介してサーバ４に送信する。
【００４５】
サーバ通信装置４５は、携帯電話機１からの部分番組配信要求を受信する。サーバ制御部４２ａは、その部分番組配信要求に応じて、番組格納部４３ａに格納された番組データ７１の一部を表す部分番組データ７２を生成する。部分番組データ７２の生成において、番組データ７１に含まれる放送日時に関する情報として、上記ＥＳに含まれるオーディオ・ビデオの提示時刻、上記ＩＰストリーム上のＲＴＰパケットに含まれるタイムスタンプが表す時刻が用いられる。
【００４６】
まず、サーバ制御部４２ａは、番組格納部４３ａに格納された複数の番組データの中から、部分番組配信要求の指定チャンネル、指定番組情報を含む番組データである番組データ７１を選択する。サーバ制御部４２ａは、その番組データ７１のうちの、部分番組配信要求の指定放送時刻“１９：３０”に対して設定時間より前の時刻から、指定放送時刻“１９：３０”を含む時刻までの設定時間帯の番組データを部分番組データ７２として読み出す。例えば設定時間を５分とした場合、図８に示されるように、部分番組データ７２は、ＥＳを番組データ７１としてサーバ受信機４９が受信したときのＥＳに含まれるオーディオ・ビデオの提示時刻が示す“１９：２５”から“１９：３０”までの設定時間帯“１９：２５〜１９：３０”の番組データを表している。
【００４７】
サーバ制御部４２ａは、この部分番組データ７２に対して設定ＵＲＬを任意に決定し、部分番組データ７２と設定ＵＲＬとを対応付けて部分番組登録部４３ｂに格納する。設定ＵＲＬは、部分番組登録部４３ｂに格納された部分番組データ７２をネットワーク３０上に公開するための登録場所（ＵＲＬ）を表している。この設定ＵＲＬは、部分番組データ７２を構成する静止画像データ群のそれぞれに対応するＵＲＬ群を含んでいる。ＵＲＬ群は、サーバ４のアドレスを表すアドレス情報と、それぞれ静止画像データ群を１番目から最終番目までこの順に識別するための順序情報とを含んでいる。例えば、順序情報は、番組データに含まれる複数の静止画像データに予め設定しておいてもよいし、上記ＥＳに含まれるオーディオ・ビデオの提示時刻や上記ＩＰストリーム上のＲＴＰパケットに含まれるタイムスタンプが表す時刻により決定してもよい。
【００４８】
サーバ制御部４２ａは、設定ＵＲＬを含む部分番組配信回答を、図９に示されるような電子メール６１により、通信装置４５、ネットワーク３０を介して携帯電話機１に送信する。部分番組配信回答は、使用者が携帯電話機１により番組データ７１を視聴した後に部分番組データ７２を視聴するために用いられる。この電子メール６１には、例えば、コンテンツの登録先の情報として上記の設定ＵＲＬ、公開期間と、コンテンツの取得方法としてログインＩＤ／パスワード等のアクセスを行う為の情報とが記載されている。また、コンテンツの取得方法として、公開するコンテンツ（部分番組データ７２）を数分程度に限定することで、番組全体のコンテンツや類似のコンテンツの購入を紹介するサーバ４のＵＲＬや広告情報等が記載されている。
【００４９】
携帯電話機１の通信装置２５は、電子メール６１を受信する。メール制御部２２ｃは、その電子メール６１をデータ蓄積部２３ａに格納し、電子メール６１を受信した旨を使用者に通知するための情報を出力装置２８に出力する。例えば、その旨が、出力装置２８の表示装置２７に表示され、スピーカ２６ｂから音として出力される。使用者が電子メール６１を見る場合、入力部２１を操作し、メール制御部２２ｃは、その操作に応じて、電子メール６１に記載された部分番組配信回答を表示するための表示データを生成し、表示制御部２７ａは、その表示データを表示装置２７に表示する。
使用者が部分番組データ７２を視聴する場合、入力部２１を操作し、動画制御部２２ｂは、その操作に応じて、電子メール６１に記載された部分番組配信回答の設定ＵＲＬを用いて、通信装置２５、ネットワーク３０を介してサーバ４の部分番組登録部４３ｂにアクセスする。このとき、動画制御部２２ｂは、部分番組登録部４３ｂに格納された部分番組データ７２を読み出し、出力装置２８に出力する。使用者は、出力装置２８に出力された部分番組データ７２を視聴可能である。
【００５０】
このように、本発明の番組配信システムでは、使用者は、携帯電話機１により番組データ７１を視聴中に嗜好とする場面に遭遇する場合、その場面を部分番組配信要求によりサーバ４に要求し、サーバ４は、その場面を含むコンテンツとして部分番組データ７２を使用者へ公開することにより、使用者はその場面を再視聴することができる。
【００５１】
図１０は、本発明の番組配信システムの動作として、使用者が携帯電話機１により番組データ７１を視聴するときの動作を示すフローチャートである。
【００５２】
番組データ７１は、１９：００〜２０：００の時間帯に第１放送局から放送網３４を介して放送される（ステップＳ１）。サーバ４のサーバ受信機４９の第１受信機は、その番組データ７１を受信し、その時間帯１９：００〜２０：００と、第１放送局を表す第１チャンネルと、番組データ７１とを対応付けて番組格納部４３ａに格納する（ステップＳ２）。
使用者は、携帯電話機１をテレビジョンとして利用する。このとき、使用者は、入力部２１を操作して、所望の番組として番組データ７１を要求する指示をテレビ制御部２２ａに行なう（ステップＳ３）。テレビ制御部２２ａは、使用者の入力部２１の操作に応じて、番組データ７１が放送局から受信されるように受信機２９を制御する（ステップＳ４）。このとき、テレビ制御部２２ａは、受信機２９により受信された番組データ７１を出力装置２８に出力し（ステップＳ５）、使用者は、出力装置２８に出力された番組データ７１を視聴可能である（ステップＳ６）。
【００５３】
図１１は、本発明の番組配信システムの動作として、使用者が携帯電話機１により番組データ７１を視聴しているときのコンテンツ配信に関する動作を示すフローチャートである。
【００５４】
受信機２９により受信された番組データをテレビ制御部２２ａが出力装置２８に出力しているとき、ステップＳ６において、出力装置２８の表示装置２７には、画面５１として、番組データに含まれる動画像データ、データ放送用の番組情報、複数の指示ボタンが表示されている。使用者は、番組データ７１を視聴中に嗜好とする場面に遭遇する。この場合、使用者は、入力部２１を操作して、この場面に対応するキーを押下する。即ち、複数の指示ボタンのうちの１つの指示ボタンである「今の場面をもう一度」ボタン５４を押下する（ステップＳ１１）。
【００５５】
このとき、テレビ制御部２２ａは、番組データ７１に含まれるチャンネル、番組情報をそれぞれ指定チャンネル、指定番組情報として収集する。また、テレビ制御部２２ａは、指定放送時刻の収集として、受信機２９の受信処理部２９ａへ指定放送時刻取得要求を行う（ステップＳ１２）。受信処理部２９ａは、指定放送時刻取得要求に応じて、受信機２９のチューナ部２９ｂが番組データ７１としてＥＳを受信しているときのそのＥＳに含まれるオーディオ・ビデオの提示時刻が示す時刻“１９：３０”を指定放送時刻とし、テレビ制御部２２ａへ返す（ステップＳ１３）。
テレビ制御部２２ａは、指定放送時刻“１９：３０”と指定チャンネルと指定番組情報とを含む番組再配信要求を、通信装置２５、ネットワーク３０を介してサーバ４に送信する（ステップＳ１４）。この番組再配信要求は、電子メール、ＳＭＳ（Ｓｈｏｒｔ  Ｍｅｓｓａｇｅ  Ｓｅｒｖｉｃｅ）、ＭＭＳ（Ｍｕｌｔｉｍｅｄｉａ  Ｍｅｓｓａｇｉｎｇ  Ｓｅｒｖｉｃｅ）、ブラウザのデータ送信機能のいずれかにより送信される。例えば、番組再配信要求は電子メールにより送信される。
【００５６】
サーバ４のサーバ通信装置４５は、携帯電話機１からの部分番組配信要求を受信する。このとき、サーバ制御部４２ａは、部分番組データ７２の生成として、番組格納部４３ａに格納された複数の番組データの中から、部分番組配信要求の指定チャンネル、指定番組情報を含む番組データである番組データ７１を選択する。サーバ制御部４２ａは、その番組データ７１の一部として、部分番組配信要求の指定放送時刻“１９：３０”に対して５分前の時刻“１９：２５”から、指定放送時刻“１９：３０”を含む時刻までの部分番組データ７２を生成する。サーバ制御部４２ａは、この部分番組データ７２と設定ＵＲＬとを対応付けて部分番組登録部４３ｂに格納する。サーバ制御部４２ａは、設定ＵＲＬを用いて、部分番組登録部４３ｂに格納されたコンテンツ（部分番組データ７２）をネットワーク３０上に公開する（ステップＳ１５）。
サーバ制御部４２ａは、コンテンツの登録先の情報（設定ＵＲＬ）とコンテンツの取得方法とを含む部分番組配信回答を、通信装置４５、ネットワーク３０を介して携帯電話機１に送信する（ステップＳ１６）。この部分番組配信回答は、電子メール、ＳＭＳ、ＭＭＳのいずれかにより送信される。例えば、部分番組配信回答は上記の電子メール６１により送信される。
【００５７】
携帯電話機１の通信装置２５は、電子メール６１を受信する。メール制御部２２ｃは、その電子メール６１をデータ蓄積部２３ａに格納し、電子メール６１を受信した旨を、出力装置２８を用いて通知する。使用者が電子メール６１を見る場合、入力部２１を操作し、メール制御部２２ｃは、その操作に応じて、表示制御部２７ａを制御して、電子メール６１に記載された部分番組配信回答を表示装置２７に表示する（ステップＳ１７）。
【００５８】
使用者は、部分番組データ７２を視聴する場合、電子メール６１に記載された部分番組配信回答を参照し、入力部２１を操作して、その部分番組配信回答の設定ＵＲＬにより、部分番組取得／再生要求を行う（ステップＳ１８）。この要求に応じて、動画制御部２２ｂは、サーバ４の部分番組登録部４３ｂにアクセスするために、設定ＵＲＬを含む部分番組取得要求を、通信装置２５、ネットワーク３０を介してサーバ４に送信する（ステップＳ１９）。サーバ４のサーバ制御部４２ａは、部分番組登録部４３ｂに格納された部分番組データ７２を読み出し、通信装置４５、ネットワーク３０を介して携帯電話機１に送信する（ステップＳ２０）。この部分番組データ７２は、動画のファイル形式、ストリーミング形式のいずれかの形式により送信される。動画のファイル形式としては、ＭＰＥＧ４（Ｍｏｖｉｎｇ  Ｐｉｃｔｕｒｅ  Ｅｘｐｅｒｔｓ  Ｇｒｏｕｐ  ４）、ＡＶＩ（Ａｕｄｉｏ  Ｖｉｄｅｏ  Ｉｎｔｅｒｌｅａｖｉｎｇ）が例示される。部分番組データ７２は例えば動画のファイル形式としてＭＰＥＧ４により送信される。通信装置４５は、サーバ４からの部分番組データ７２を受信し、動画制御部２２ｂは、その部分番組データ７２を出力装置２８に出力する（ステップＳ２１）。即ち、部分番組データ７２は動画制御部２２ｂにより再生される。使用者は、再生された部分番組データ７２を視聴可能である。
【００５９】
ここで、本発明の番組配信システムの効果について説明する。
【００６０】
使用者は、携帯電話機１を利用することにより、放送局から放送される番組データ７１を出かけ先でも視聴することができる。また、使用者は、携帯電話機１により番組データ７１を視聴した場合でも、上記のように、使用者が嗜好とする場面に遭遇する場合がある。しかしながら、携帯電話機１の記憶装置２３のデータ記憶領域２３ａの記憶容量は、録画装置（例示；ビデオデッキ、ハードディスク）の記憶容量よりもはるかに小さい。このため、使用者が嗜好とする場面を見るために、携帯電話機１により番組データ７１を録画することは、消費電力やメモリ使用量に限度がある。
そこで、本発明の番組配信システムでは、使用者は、携帯電話機１を用いて、使用者が嗜好とする場面を再度視聴するために、部分番組配信要求を送信し、サーバ４は、部分番組配信要求に応じて、使用者が嗜好とする場面である部分番組データ７２を生成し、部分番組配信回答として携帯電話機１に送信する。このように、本発明の番組配信システムによれば、使用者が携帯電話機１により番組データ７１を視聴したとき、番組データ７１を録画することなく、使用者が嗜好とする場面である部分番組データ７２を携帯電話機１により再視聴することができる。これにより、使用者は、嗜好とする場面として印象に残った場面や役立つ場面を再視聴することができ、その場面の内容を家族・友人へ伝えることができる。
【００６１】
また、本発明の番組配信システムでは、使用者は、携帯電話機１により番組データ７１を視聴している間、使用者が嗜好とする場面がある度に部分番組配信要求を送信すれば、使用者が嗜好とする場面が各々異なる複数の部分番組データ７２がサーバ４から送られる。この場合、使用者は、その複数の部分番組データ７２を番組データ７１のダイジェスト版として楽しむことができる。
【００６２】
上述のように、本発明の番組配信システムで、使用者が携帯電話機１により番組データ７１を視聴したとき、使用者が嗜好とする場面である部分番組データ７２を携帯電話機１により再視聴することができる。しかしながら、使用者は、携帯電話機１により番組データ７１を視聴しているときに、部分番組データ７２が携帯電話機１に送られてきても困る場合がある。即ち、携帯電話機１の出力装置２８に出力される番組データが、視聴中の番組データ７１から、部分番組データ７２に代わってしまっては、使用者にとって都合が悪い場合がある。
そこで、本発明の番組配信システムでは、サーバ４は、部分番組配信要求に応じて、部分番組データ７２を生成して部分番組登録部４３ｂに格納し、部分番組登録部４３ｂに格納された部分番組データ７２をネットワーク３０上に公開するためのＵＲＬを含む部分番組配信回答を携帯電話機１に送信する。使用者が部分番組データ７２を携帯電話機１により再視聴する場合、使用者は携帯電話機１により番組データ７１を視聴した後に、上記のＵＲＬを用いることにより実現する。このように、本発明の番組配信システムによれば、使用者が携帯電話機１により番組データ７１を視聴したとき、番組データ７１の視聴を妨げることなく、使用者が嗜好とする場面である部分番組データ７２を携帯電話機１により再視聴することができる。
【００６３】
また、本発明の番組配信システムでは、サーバ４では、部分番組データ７２を生成して部分番組登録部４３ｂに格納することにより、サーバ４の管理者は、視聴率調査として、使用者が嗜好とする場面を収集することができる。
また、本発明の番組配信システムでは、部分番組配信回答は、コンテンツの登録先の情報（設定ＵＲＬ）とコンテンツの取得方法とを含んでいる。サーバ４の管理者は、使用者が嗜好とする場面を収集する他に、部分番組配信回答に含まれるコンテンツの登録先の情報を使用者に提供することにより、その使用者の紹介によりどの程度の人数（延べ人数）が公開コンテンツ（部分番組登録部４３ｂ）にアクセスするか、という情報を収集することができる。また、部分番組配信回答に含まれるコンテンツの取得方法を使用者に提供することにより、どのような場面を契機にコンテンツを購入するか、またコンテンツを購入するかなど、今後のコンテンツ作りやコンテンツ購入に対する傾向分析などに必要な情報の収集が可能となる。
【００６４】
使用者が嗜好とする場面とは、使用者が携帯電話機１により番組データ７１を視聴しているときに遭遇する。したがって、使用者が嗜好とする場面が放送された後に、使用者が携帯電話機１により部分番組配信要求を行なうことになる。このため、部分番組配信要求に含まれる指定放送時刻は、使用者が嗜好とする場面が放送された時刻よりも後の時刻を表している。
そこで、本発明の番組配信システムでは、サーバ４は、番組データ７１のうちの、指定放送時刻に対して設定時間（例えば５分）より前の時刻から、指定放送時刻を含む時刻までの設定時間帯の番組データを表す部分番組データ７２を生成する。これにより、本発明の番組配信システムによれば、使用者が嗜好とする場面を部分番組データ７２により再視聴することができる。
また、本発明の番組配信システムでは、サーバ４では、部分番組データ７２を生成して部分番組登録部４３ｂに格納することにより、サーバ４の管理者は、視聴率調査として、使用者が嗜好とする場面が放送される時間帯（設定時間帯）を集計することができる。
【００６５】
以上の説明により、本発明の番組配信システムは、使用者が携帯端末１により番組データを視聴したとき、使用者が嗜好とする場面を携帯端末１により再視聴することができる。
【００６６】
本発明の番組配信システムは、上記の説明に限定されない。
【００６７】
本発明の番組配信システムの構成では各機能ブロックが一つのＣＰＵにより処理されるが、複数のＣＰＵにて処理を分散する構成でもよいし、音声処理部２６、動画処理部２７ｂがＤＳＰ（Ｄｉｇｉｔａｌ  Ｓｉｇｎａｌ  Ｐｒｏｃｅｓｓｏｒ）で処理する構成してもよい。
【００６８】
サーバ４がコンテンツを提供する伝送手段として、携帯電話機１のテレビ制御部２２ａとサーバ４とにより通信を行なうが、テレビ電話機能を利用してもよい。即ち、サーバ４がコンテンツを提供する伝送手段として、携帯電話機１のテレビ電話制御部２２ｄとサーバ４とにより通信を行なう。
【００６９】
サーバ４のコンテンツの生成において、使用者が指定した指定放送時刻の他、番組のメタデータを元に使用者が興味を集める場面を特定してコンテンツを作成してもよい。
【００７０】
指定放送時刻の収集として、携帯電話機１が取得する時刻情報を利用してもよい。この時刻情報としては、公知の方法としてＧＰＳ（Ｇｌｏｂａｌ  Ｐｏｓｉｔｉｏｎｉｎｇ  Ｓｙｓｔｅｍ）との通信により時刻を取得する方法や、ネットワークに設定されている時刻を取得する方法が挙げられる。この場合、地上波アナログ放送などでの適用が考えられる。
【００７１】
指定放送時刻の収集として、使用者の要求処理を受け付け時のデジタルデータ（番組データ）のオーディオ・ビデオの提示時刻やタイムスタンプを用いる場合では、使用者が「今の場面をもう一度」ボタン５４を押下したときの実際の時刻とのタイム差が大きくなる可能性がある。そこで、そのタイム差を表す時間情報をデータ蓄積部２３ａに格納しておき、テレビ制御部２２ａは、オーディオ・ビデオの提示時刻やタイムスタンプにより時刻を取得したとき、その時刻から、データ蓄積部２３ａに格納された時間情報が表すタイム差を差し引いた時刻を指定放送時刻としてもよい。
【図面の簡単な説明】
【００７２】
【図１】図１は、本発明の番組配信システムの構成を示すブロック図である。
【図２】図２は、携帯電話機１の構成を示すブロック図である。
【図３】図３は、携帯電話機１を表す正面図である。
【図４】図４は、サーバ４の構成を示すブロック図である。
【図５】図５は、サーバ４の番組格納部４３ａを示している。
【図６】図６は、サーバ４の部分番組登録部４３ｂを示している。
【図７】図７は、携帯電話機１の表示装置２７に表示され、番組データと、ユーザが部分番組配信要求を行なうときのＵＩ（Ｕｓｅｒ  Ｉｎｔｅｒｆａｃｅ）とを含む画面５１を示している。
【図８】図８は、番組データ７１、部分番組配信要求、部分番組データ７２を説明するための図である。
【図９】図９は、部分番組配信回答がサーバ４により送信されるときの通信形態の一例として、電子メール６１を示している。
【図１０】図１０は、本発明の番組配信システムの動作として、ユーザが携帯電話機１により番組データ７１を視聴するときの動作を示すフローチャートである。
【図１１】図１１は、本発明の番組配信システムの動作として、ユーザが携帯電話機１により番組データ７１を視聴しているときのコンテンツ配信に関する動作を示すフローチャートである。
【符号の説明】
【００７３】
１    携帯電話機
４    サーバ
２０    筐体
２１    入力部
２２    コンピュータプログラム
２２ａ    テレビ制御部
２２ｂ    動画制御部
２２ｃ    メール制御部
２２ｄ    テレビ電話制御部
２３    記憶装置
２３ａ    データ蓄積部（データ記憶領域）
２４    制御装置
２５    通信装置
２５ａ    無線処理部
２６    音声処理部
２６ａ    マイク
２６ｂ    スピーカ
２７    表示装置
２７ａ    表示制御部
２７ｂ    動画処理部
２８    出力装置
２９    受信機
２９ａ    受信処理部
２９ｂ    チューナ部
３１    基地局
３２    ゲートウェイ
３３    インターネット網
３４    放送網
４２    コンピュータプログラム
４２ａ    サーバ制御部
４３    サーバ記憶装置
４３ａ    番組一時格納部
４３ｂ    データベース
４４    サーバ制御装置
４５    サーバ通信装置
４９    送信機
５１    画面
５２    テレビ番組画面
５３    番組情報画面
５４    「今の場面をもう一度」ボタン（指示ボタン）
６１    電子メール
７１    番組データ
７２    部分番組データ
【図１】
2007150443.tif 000003
【図２】
2007150443.tif 000004
【図３】
2007150443.tif 000005
【図４】
2007150443.tif 000006
【図５】
2007150443.tif 000007
【図６】
2007150443.tif 000008
【図７】
2007150443.tif 000009
【図８】
2007150443.tif 000010
【図９】
2007150443.tif 000011
【図１０】
2007150443.tif 000012
【図１１】
2007150443.tif 000013